(57)【要約】【課題】処分される防水透湿シートの端材を再利用して、資源の有効利用及びコスト削減を図ることのできる防水透湿シート溶着装置を提供する。【解決手段】防水透湿シートの複数の端材Ｈをそれぞれ溶着することによって、防水透湿シートを形成する防水透湿シート溶着装置１は、基台２と、該基台２上に配置された複数の端材Ｈを、互いにその縁部で重ね合わせて継ぎ目部分Ｔとしたうえで、該継ぎ目部分Ｔに超音波を照射することにより溶着する溶着手段３と、溶着手段３によって溶着された防水透湿シートを巻き取る巻取り手段６とを備えている。【選択図】図１
2005305751.tif 000002
【特許請求の範囲】
【請求項１】
防水透湿シートの複数の端材をそれぞれ溶着することによって、防水透湿シートを形成する防水透湿シート溶着装置であって、
基台と、
該基台上に配置された前記複数の端材を、互いにその縁部で重ね合わせて継ぎ目部分としたうえで、該継ぎ目部分に超音波を照射することによって溶着する溶着手段と、
前記溶着手段によって溶着された防水透湿シートを巻き取る巻取り手段とを備えていることを特徴とする防水透湿シート溶着装置。
【請求項２】
請求項１に記載の防水透湿シート溶着装置において、
溶着の際に、前記基台上に配置された複数の端材を押さえ込む押さえ手段を備えていることを特徴とする防水透湿シート溶着装置。
【請求項３】
請求項１又は２に記載の防水透湿シート溶着装置において、
前記溶着手段は、前記基台に、前記端材の継ぎ目部分に沿って移動可能に設けられていることを特徴とする防水透湿シート溶着装置。
【請求項４】
請求項１〜３のいずれか一項に記載の防水透湿シート溶着装置において、
前記巻取り手段は、前記継ぎ目部分に対して略水平方向に設けられる第１の巻取り手段と、前記継ぎ目部分に対して略直交方向に設けられる第２の巻取り手段とを有していることを特徴とする防水透湿シート溶着装置。
【請求項５】
請求項１〜４のいずれか一項に記載の防水透湿シート溶着装置において、
前記巻取り手段の近傍に、溶着された防水透湿シートを切断する切断手段が設けられていることを特徴とする防水透湿シート溶着装置。
【発明の詳細な説明】
【技術分野】
【０００１】
本発明は、防水透湿シートの複数の端材をそれぞれ溶着することによって、１枚の防水透湿シートを形成する防水透湿シート溶着装置に関する。
【背景技術】
【０００２】
例えば、壁パネル等の壁体に外壁材となるサイディング等を取り付ける場合、壁体の表面に壁体の寸法に応じた防水透湿シートを取り付けて、壁体表面に防水処理を施している。また、壁体にサッシ枠等を取り付けるための開口部が形成されている場合、この開口部を外側に露出させるために、防水透湿シートには矩形状のシート開口部が形成されている。このような防水透湿シートを壁体に取り付ける場合、そのシート開口部を壁体の開口部に合わせたうえで、防水透湿シートを壁体の表面に接着剤やステープル等によって貼り付けている。そして、壁体表面に防水透湿シートを貼り付けた後、防水透湿シートに、そのシート開口部に沿ってサッシ枠を配置したうえで、サッシ枠を壁体の開口部に固定し、さらに、サッシ枠の外周縁部と防水透湿シートとに亘って防水テープを貼着している。
【特許文献１】特開平９−９６１６７号公報
【発明の開示】
【発明が解決しようとする課題】
【０００３】
ところで、防水透湿シートは上述のように貼り付ける壁体の寸法に合わせて、壁体の形状よりも大きな防水透湿シートを随時切断して使用するため、多くの端材が出てしまうという問題があり、また、これら端材は様々な形状をしているため、そのまま次に使用することができず処分されることが多かった。そこで、このような資源を有効に利用するとともにコスト削減を図ることが要求されている。
そこで、本発明は、上記事情に鑑みてなされたもので、処分される防水透湿シートの端材を再利用して、資源の有効利用及びコスト削減を図ることのできる防水透湿シート溶着装置を提供することを目的としている。
【課題を解決するための手段】
【０００４】
上記課題を解決するため、請求項１の発明は、例えば、図１及び図２に示すように、防水透湿シートの複数の端材Ｈをそれぞれ溶着することによって、防水透湿シートを形成する防水透湿シート溶着装置１であって、
基台２と、
該基台２上に配置された前記複数の端材Ｈを、互いにその縁部で重ね合わせて継ぎ目部分Ｔとしたうえで、該継ぎ目部分Ｔに超音波を照射することにより溶着する溶着手段３と、
前記溶着手段３によって溶着された防水透湿シートを巻き取る巻取り手段６とを備えていることを特徴とする。
【０００５】
請求項１の発明によれば、基台２上に配置された複数の端材Ｈを、その縁部で重ね合わせて継ぎ目部分Ｔとして、溶着手段３によって継ぎ目部分Ｔに超音波を照射することにより溶着し、溶着後の防水透湿シートを巻取り手段６によって巻き取ることで複数の端材Ｈを１枚の防水透湿シートとすることができる。このようにして端材Ｈを再利用することができ、再び防水透湿シートとして壁体に取り付けることができ、資源の有効利用を図れるとともにコストを大幅に削減できる。
【０００６】
請求項２の発明は、例えば、図１及び図２に示すように、請求項１に記載の防水透湿シート溶着装置１において、
溶着の際に、前記基台２上に配置された複数の端材Ｈを押さえ込む押さえ手段７を備えていることを特徴とする。
【０００７】
請求項２の発明によれば、押さえ手段７により基台２上に配置された複数の端材Ｈを押さえ込むことによって、溶着の際に端材Ｈが所定の位置からずれたりすることなく、継ぎ目部分Ｔで精度良く溶着することができる。
【０００８】
請求項３の発明は、例えば、図１及び図２に示すように、請求項１又は２に記載の防水透湿シート溶着装置１において、
前記溶着手段３は、前記基台２に、前記端材Ｈの継ぎ目部分Ｔに沿って移動可能に設けられていることを特徴とする。
【０００９】
請求項３の発明によれば、溶着手段３は端材Ｈの継ぎ目部分Ｔに沿って移動可能に設けられているので、端材Ｈ側を移動させる場合に比べて、継ぎ目部分Ｔで精度良く溶着することができる。
【００１０】
請求項４の発明は、例えば、図１及び図２に示すように、請求項１〜３のいずれか一項に記載の防水透湿シート溶着装置１において、
前記巻取り手段６は、前記継ぎ目部分Ｔに対して略水平方向に設けられる第１の巻取り手段６Ａと、前記継ぎ目部分Ｔに対して略直交方向に設けられる第２の巻取り手段６Ｂとを有していることを特徴とする。
【００１１】
請求項４の発明によれば、巻取り手段６は、第１の巻取り手段６Ａと第２の巻取り手段６Ｂとを有しているので、防水透湿シートの幅に合わせて第１の巻取り手段６Ａ又は第２の巻取り手段６Ｂを選択して使用することができ、施工上便利である。
【００１２】
請求項５の発明は、例えば、図１及び図２に示すように、請求項１〜４のいずれか一項に記載の防水透湿シート溶着装置１において、
前記巻取り手段６の近傍に、溶着された防水透湿シートを切断する切断手段８が設けられていることを特徴とする。
【００１３】
請求項５の発明によれば、巻取り手段６の近傍に切断手段８が設けられているので、この切断手段８によって、巻取り手段６において、ある程度巻き取られた防水透湿シートを切断することができる。このように巻き取る防水透湿シートの長さを調整することができ、その後、切断した防水透湿シートを使用することができる。
【発明の効果】
【００１４】
本発明に係る防水透湿シート溶着装置によれば、基台上に配置された複数の端材を、その縁部で重ね合わせて、溶着手段によってその継ぎ目部分に超音波を照射することにより溶着した後、巻取り手段によって巻き取る。このようにして複数の端材を１枚の防水透湿シートとして簡単に再利用することができ、資源の有効利用及びコスト削減を図ることができる。
【発明を実施するための最良の形態】
【００１５】
以下、本発明の実施の形態について図面を参照して説明する。
図１は、本発明に係る防水透湿シート溶着装置の平断面図、図２は側断面図である。
図１及び図２に示すように、本発明に係る防水透湿シート溶着装置１は、防水透湿シートの複数の端材Ｈをそれぞれ溶着することによって、一枚の防水透湿シートを形成する装置である。
防水透湿シートの端材Ｈとは、例えば、壁体の表面に防水透湿シートを取り付ける際に、その壁体の寸法に合わせて切断した結果、出される様々な寸法の防水透湿シートのことである。
また、防水透湿シートの材料としては、超音波溶着する点から熱可塑性樹脂からなるものが好ましく、例えば、軟質ポリ塩化ビニル樹脂、ポリエチレン樹脂、ポリプロピレン樹脂等からなるものが挙げられる。中でも、熱安定性の観点からポリエチレン樹脂、ポリプロピレン樹脂等のオレフィン系樹脂シートが好適に使用される。本実施の形態では、防水性及び透湿性を有するタイベック（商品名：デュポン社製）が使用される。
【００１６】
本発明の防水透湿シート溶着装置１は、基台２と、基台２上に配置された２枚の端材Ｈを、互いにその縁部で重ね合わせて継ぎ目部分Ｔとしたうえで、該継ぎ目部分Ｔに超音波を照射することによって溶着する溶着手段３と、溶着手段３によって溶着された１枚の防水透湿シートを巻き取る巻取り手段６とを備えている。
以下、各部材の構成について説明する。
【００１７】
基台２は、床面Ｍに対して略水平方向に配置された板状の載置部２１と、この載置部２１の下面から下方に垂直に延在して載置部２１を支持する矩形棒状をなした複数の垂直支持部２２と、これら垂直支持部２２のもう一方の端部に載置部２１と対向して設けられた水平支持部２３とを備えている。水平支持部２３は、矩形棒状部材が枠状に組み付けられてなり、その下面四隅には、床面Ｍに設置されて基台２を支持する脚部２４やキャスター２５が取り付けられている。
載置部２１には溶着する２枚の端材Ｈが配置され、載置部２１の略中央（端材Ｈの継ぎ目部分Ｔにあたる位置）に、継ぎ目部分Ｔに沿って開口部２１aが形成されている。この開口部２１a内には、後述する加工ローラ５３が移動して、この加工ローラ５３と超音波ユニット４のホーン４３との間に挟まれた端材Ｈの継ぎ目部分Ｔが超音波照射されて溶着されるようになっている。
また、この載置部２１の下方及び上方に溶着手段３が設けられている。
【００１８】
溶着手段３は、載置部２１（端材Ｈの継ぎ目部分Ｔ）の下方に位置し、超音波振動を発振する超音波ユニット４と、載置部２１（端材Ｈの継ぎ目部分Ｔ）の上方に位置し、継ぎ目部分Ｔに沿って前後に移動可能となるように基台２に設けられた超音波ローラユニット５とを備えている。
【００１９】
超音波ユニット４は、超音波振動を発振する超音波発信器４１と、この超音波発信器４１に接続された超音波振動子４２と、超音波振動子４２からの振動が伝達されて後述する超音波ローラユニット５の加工ローラ５３との間で摩擦熱を発生させることにより端材Ｈの継ぎ目部分Ｔを溶着するホーン４３とを備えている。
ホーン４３は、載置部２１の開口部２１a内に配置されて、その上面が加工ローラ５３に圧接されるようになっている。
【００２０】
超音波ローラユニット５は、基台２の側面に前記端材Ｈの継ぎ目部分Ｔに沿って前後に移動可能に取り付けられたフレーム５１と、このフレーム５１の先端部に、端材Ｈの継ぎ目部分Ｔの上方で前記ホーン４３と対向するように設けられたユニット本体５２と、ユニット本体５２に設けられて端材Ｈの継ぎ目部分Ｔを圧接するとともに、フレーム５１の移動とともに継ぎ目部分Ｔに沿って回転可能な加工ローラ５３とを備えている。
【００２１】
フレーム５１は、側断面視略コ字型をなしており、継ぎ目部分Ｔに沿って前後に移動可能となるように一方の端部が基台２の側面である垂直支持部２２に取り付けられている。
具体的には、垂直支持部２２に、前記継ぎ目部分Ｔに沿って前後に延在するレール部２２aが取り付けられており、このレール部２２aにフレーム５１の一方の端部に設けられたガイド部５１aが係合している。ガイド部５１aは、超音波移動モータ５４のモータ軸に取り付けられたギア部５４aに係合するラック部５１bに接続されている。したがって、超音波移動モータ５４が駆動することによりその回転がギア部５４aを介してラック部５１bが回転し、これに伴ってガイド部５１aがレール部２２aに沿って前後に移動するようになっている。
【００２２】
このようなフレーム５１の先端部（他方の端部）に設けられたユニット本体５２には、ローラ昇降シリンダ（図示略）が設けられており、ローラ昇降シリンダのロッドに側断面視略コ字型のローラ支持部材５２１が取り付けられている。そして、ローラ支持部材５２１の互いに対向する側壁部間に、加工ローラ５３が軸部を介して回転可能に取り付けられている。したがって、ローラ昇降シリンダの駆動に伴ってローラ支持部材５２１及び加工ローラ５３が昇降可能となっている。
また、ユニット本体５２の両側には、基台２上に配置された防水透湿シートの端材Ｈを上側から押さえ込む２つの押さえ手段７が設けられている。
【００２３】
押さえ手段７は、防水透湿シートの各端材Ｈを押さえ込む２つのクランプ部７１と、これらクランプ部７１に連結してシリンダロッド（図示略）が伸縮することでクランプ部７１を昇降可能とするクランプ昇降シリンダ７２とを備えている。
クランプ部７１は、端材Ｈの継ぎ目部分Ｔに沿って水平方向に延在する板状であり、２つのクランプ部７１間の略中央に継ぎ目部分Ｔが位置するように継ぎ目部分Ｔから等間隔の位置にそれぞれ配置されている。
【００２４】
一方、基台２上に配置されて上述の溶着手段３により溶着されて形成された１枚の防水透湿シートを巻取る巻取り手段６は、継ぎ目部分Ｔに対して略水平方向にあたる基台２の側面に設けられる第１の巻取り手段６Ａと、継ぎ目部分Ｔに対して略垂直方向にあたる基台２の側面に設けられる第２の巻取り手段６Ｂとを有している。
【００２５】
第１の巻取り手段６Ａは、継ぎ目部分Ｔと略水平方向に延在し、端材Ｈの継ぎ目部分Ｔで溶着された１枚の防水透湿シートを挟持する一対の挟持ローラ６１と、この挟持ローラ６１の下方に設けられて、挟持ローラ６１で挟持された防水透湿シートを巻取る巻取りローラ６２と、これら一対の挟持ローラ６１と巻取りローラ６２とを駆動させる巻取りモータ６３とを備えている。
これら挟持ローラ６１及び巻取りローラ６２の軸部、巻取りモータ６３の軸部には、それぞれタイミングプーリ（図示略）が軸着され、これらタイミングプーリにタイミングベルト（図示略）が張架されている。そして、巻取りモータ６３を駆動させることによって巻取りモータ６３からの回転がタイミングベルトを介して、挟持ローラ６１及び巻取りローラ６２に伝達されるようになっている。
また、挟持ローラ６１及び巻取りローラ６２は、ゴム等の樹脂製であることが好ましい。このように樹脂製とすることによって、防水透湿シートが滑ることなく確実に挟持でき、巻取りローラ６２で張力をかけた状態で巻き取ることができる。
なお、第２の巻取り手段６Ｂは、上述したように第１の巻取り手段６Ａと異なる箇所に設置されており、第１の巻取り手段６Ａと同様の構成をなしているので、同様の符号を付してその説明を省略する。
【００２６】
また、第１の巻取り手段６Ａの挟持ローラ６１及び第２の巻取り手段６Ｂの挟持ローラ６１の各近傍、すなわち、基台２の側縁部には、溶着された１枚の防水透湿シートを切断する切断手段８が設けられている。
切断手段８としては、巻取りローラ６２で防水透湿シートをある程度巻き取ったら、防水透湿シートを切断するためのカッター等が挙げられる。
【００２７】
なお、載置部２１の下方には、各モータ５４、６３や超音波発信器４１等の防水透湿シート溶着装置１の運転全般を制御する機能を有する電気制御部９１や、超音波発振器４１に接続されて超音波振動を増幅する超音波アンプ９２が備えられている。
また、ユニット本体５２の側面部には、クランプ部７１を昇降させたり、超音波ローラユニット５及び超音波ユニット４を駆動させたり、巻取りローラ６２の回転を開始又は終了させるための各ボタン（図示略）が取り付けられている。このような各ボタンを作業者が操作することで電気制御部９１が制御し、各部材が動作するように構成されている。
さらに、ユニット本体５２には、載置部２１に付着したゴミや埃等を除去するためのエアブロー５２２が取り付けられている。
【００２８】
次に、上述の構成をなした防水透湿シート溶着装置１の動作について説明する。
図１及び図２に示すように、まず、基台２の載置部２１に防水透湿シートの２枚の端材Ｈを、互いに縁部で重ね合わせて継ぎ目部分Ｔとし、その継ぎ目部分Ｔが開口部２１a上に位置するように載置する。
次いで、クランプ部昇降ボタンを操作することにより、電気制御部９１がクランプ昇降シリンダ７２を下降させて、クランプ部７１で防水透湿シートの端材Ｈをそれぞれ押さえ込んで載置部２１に固定する。
その後、超音波ローラユニット５及び超音波ユニット４を駆動させるボタンを操作することにより、超音波ローラユニット５の加工ローラ５３がローラ昇降シリンダによって下降されて、開口部２１a上に配置された継ぎ目部分Ｔを、加工ローラ５３と超音波ユニット４のホーン４３とで圧接するとともに、超音波移動モータ５４の駆動によりフレーム５１が継ぎ目部分Ｔに沿って前後に移動する。
この際に、超音波ユニット４の超音波発振器４１から超音波振動が発振されて超音波振動子４２を介してホーン４３に伝達される。これによって、ホーン４３と加工ローラ５３との間で摩擦熱が発生し、その結果、摩擦熱により端材Ｈの継ぎ目部分Ｔが溶着され、１枚の防水透湿シートが形成される。溶着後、加工ローラ５３は上昇されて元の位置に戻る。
【００２９】
次いで、クランプ部昇降ボタンを操作して、クランプ部７１を予め上昇させておいてから、形成された１枚の防水透湿シートを巻取りローラ６２に巻き取る。その際に、予め作業者が手作業で、一対の挟持ローラ６１間に防水透湿シートを挟み込んだうえで巻取りローラ６２にある程度巻いておき、その後、巻取りローラボタンを操作することにより、電気制御部９１が巻取りモータ６３を回転させることによって、挟持ローラ６１及び巻取りローラ６２が回転し、巻取りローラ６２に順次防水透湿シートが巻き取られていく。
ここで、挟持ローラ６１及び巻取りローラ６２は、第１の巻取り手段６Ａの各ローラ６１、６２を使用しても良いし、第２の巻取り手段６Ｂの各ローラ６１、６２を使用しても良く、形成された防水透湿シートの幅に合わせて適宜使用すれば良い。
【００３０】
その後、形成された防水透湿シートが巻取りローラ６２である程度巻き取られたら、その縁部に、次の防水透湿シートの端材Ｈの縁部を重ね合わせて、同様の手順で継ぎ目部分Ｔに超音波を照射させて溶着させることにより、前記防水透湿シートに端材Ｈを順次継ぎ足していき、１枚の防水透湿シートとしていく。
そして、巻取りローラ６２で所定量の防水透湿シートを巻き取ったら、切断手段８で防水透湿シートを切断する。
【００３１】
以上、本発明の実施の形態の防水透湿シート溶着装置１によれば、基台２上に配置された２枚の端材Ｈを、その縁部で重ね合わせて継ぎ目部分Ｔとして、継ぎ目部分Ｔを開口部２１a上に載置することにより、ホーン４３と加工ローラ５３との間に挟み込まれて圧接される。これによって、超音波発振器４１から発振された超音波振動がホーン４３に伝達されて、加工ローラ５３との間で摩擦熱が発生し、継ぎ目部分Ｔの溶着がなされ１枚の防水透湿シートが形成される。そして、得られた防水透湿シートは挟持ローラ６１を介して巻取りローラ６２に巻取られる。このようにして端材Ｈを順次継ぎ足して溶着することによって簡単に再利用することができ、再び防水透湿シートとして壁体に取り付けることができ、資源の有効利用及びコスト削減を図ることができる。
【００３２】
基台２上に配置された端材Ｈは、溶着の際にクランプ部７１により押さえ込まれるので、端材Ｈが所定の位置からずれたりすることなく精度良く溶着することができる。
また、加工ローラ５３は、フレーム５１に設けられており、このフレーム５１は継ぎ目部分Ｔに沿って移動可能に基台２に設けられているので、この点においても精度良く溶着することができる。
また、継ぎ目部分Ｔに対して略水平方向に延在する第１の巻取り手段６Ａと、継ぎ目部分Ｔに対して略垂直方向に延在する第２の巻取り手段６Ｂとを有しているので、溶着された防水透湿シートの幅に合わせて、これら第１又は第２の巻取り手段６Ａ、６Ｂを選択して使用することができ、施工上便利である。
さらに、第１の巻取り手段６Ａ及び第２の巻取り手段６Ｂの近傍に切断手段８が設けられているので、溶着された防水透湿シートの長さを適宜調整することができる。
【００３３】
なお、本発明は上記実施の形態に限定されるものではなく、その要旨を逸脱しない範囲で適宜変更可能なものとする。
例えば、上記実施の形態の防水透湿シート溶着装置１において、超音波ローラユニット５の加工ローラ５３の駆動機構や、挟持ローラ６１及び巻取りローラ６２の駆動機構、フレームの移動機構等は、上述した構成に限らず変更しても構わない。
【図面の簡単な説明】
【００３４】
【図１】本発明の実施の形態を示すためのもので、(a)は防水透湿シート溶着装置の平断面図である。
【図２】同、防水透湿シート溶着装置の側断面図である。
【符号の説明】
【００３５】
１  防水透湿シート溶着装置
２  基台
３  溶着手段
６  巻取り手段
６Ａ  第１の巻取り手段
６Ｂ  第２の巻取り手段
７  押さえ手段
８  切断手段
Ｈ  端材
Ｔ  継ぎ目部分
【図１】
2005305751.tif 000003
【図２】
2005305751.tif 000004